【事件の表示】
　平成１１年特許願第２９３８７０号「電子部品の取付構造」拒絶査定不服審判事件〔平成１３年４月２４日出願公開、特開２００１−１１２９３０〕について、次のとおり審決する。
【結　論】
　本件審判の請求は、成り立たない。
【理　由】
第一．手続の経緯
　本願は、平成１１年１０月１５日の出願であって、拒絶理由通知に対して平成２１年１１月９日に手続補正書が提出され、その後なされた拒絶査定に対し、平成２２年５月３１日に本件拒絶査定不服審判が請求されるとともに、手続補正がなされたものである。
　また、当審において、平成２２年９月２１日付けで審査官による前置報告書の内容を添付して審尋を行い、請求人から平成２２年１１月２５日に回答書が提出されている。
　
第二．平成２２年５月３１日付けの手続補正についての補正却下の決定
［補正却下の決定の結論］
　平成２２年５月３１日付けの手続補正を却下する。
　
［理由］
１．補正後の本願発明
　本件補正により補正された補正後の特許請求の範囲の請求項１に記載された発明（以下「本願補正発明」という）は次のとおりである。
「　遊技機の固定対象物に電子部品を挿入固定するために、当該電子部品の外形に対応する様に当該固定対象物に穿設された取付穴と、
　前記電子部品の前記取付穴から露出している部分を支持するために、前記固定対象物の前記電子部品を挿入する側の壁面に立設され、前記取付穴の内壁面に沿った載置面を有する支持板と、
　によって構成され、
　前記取付穴に挿入されている前記電子部品が当該取付穴から脱落しない様に、前記支持板の遊端側に、当該電子部品の当該取付穴から露出している部分の端部を掛止するための掛止突起が形成されてなる電子部品の取付構造において、
　前記掛止突起は、当該掛止突起の前記取付穴側の端部から当該掛止突起の最厚部まで徐々に肉厚となる様に構成され、
　前記支持板の載置面を上にして遊端側から見たときに、
前記電子部品の左右両側に前記支持板に支持されない部分ができるように、
（下線部は補正によって追加された箇所）
　
２．補正要件（目的）の検討
　請求項１についての補正は、発明を特定するために必要な事項である「支持板」について、「前記電子部品の左右両側に前記支持板に支持されない部分ができるように、」を付加するものであるから、当該補正は、特許請求の範囲の減縮を目的とする補正に相当する。
　したがって、本件補正は、平成１８年法律第５５号による改正前の特許法（以下「改正前特許法」という。）第１７条の２第４項第２号に該当する。
　
３．補正要件（独立特許要件：特許法第２９条第２項）の検討
（１）引用された文献の記載事項
　原査定の拒絶の理由に引用された、特開平５−４９７２８号公報（以下「引用文献」という）には以下の事項が記載されている。
【０００６】【実施例】以下、図面を参照して、本発明の実施例について説明する。まず、実施例に係る通過口装置２０ａ，２０ｂが適用される弾球遊技機の一例としてのパチンコ遊技機について図３を参照して説明する。図３は、パチンコ遊技機の遊技盤１の正面図である。・・・
【００１０】次に、本実施例の要部を構成する通過口装置２０ａ，２０ｂの構成について図１及び図２を参照して説明する。図１は、通過口装置２０ａ，２０ｂの平面図であり、図２は、通過口装置２０ａ，２０ｂの背面から見た分解斜視図である。図において、通過口装置２０ａ，２０ｂ（２つの通過口装置は、全く同じ構造であるので、１つの通過口装置を図示する）は、前記遊技盤１の表面に取り付けられる取付基板２１を有し、該取付基板２１の中央に開設された長方形状の貫通開口２２の両側面に沿って取付基板２１を前後に貫通するように装着枠２３が形成されている。装着枠２３は、上面、底面前方部、及び後部側面が開放して形成されており、その前面壁上部に押え突起２４が突設され、その底面後方に係止爪２５ａを有する係止片２５が形成されている。この押え突起２４及び係止爪２５ａは、後述する通過玉検出器４０ａ，４０ｂを着脱自在に且つ所定の位置に固定するものである。
【００１４】上記のようにして装飾カバー部材３０が取り付けられた取付基板２１の後方からは、その前方に打玉が通過し得る玉通過穴４１を有する通過玉検出器４０ａ，４０ｂが装着されるようになっている。即ち、通過玉検出器４０ａ，４０ｂを前記装着枠２３の間に挿入し、通過玉検出器４０ａ，４０ｂの先端上部を前記押え突起２４に当接させると共に、通過玉検出器４０ａ，４０ｂの後端下部と前記係止片２５の係止爪２５ａと係合することにより、通過玉検出器４０ａ，４０ｂを装着することができる。一方、通過玉検出器４０ａ，４０ｂを取り外す場合には、係止片２５を押し下げた状態で通過玉検出器４０ａ，４０ｂを後方に引き抜くことにより簡単に行うことができる。
【００１６】上記のように構成される通過口装置２０ａ，２０ｂにおいて、通過玉検出器４０ａ，４０ｂが装着された際には、図１に示すように、通過玉検出器４０ａ，４０ｂの玉通過穴４１の寸法Ｌ１よりも入口開口３３の被覆部３５の寸法Ｌ２の方が小くなるので、通過口装置２０ａ，２０ｂを通過する打玉が直接玉通過穴４１の上端開口縁へ衝突することを防止でき、これによって通過玉検出器４０ａ，４０ｂが破損したり、あるいは劣化を早めたりすることがなく、長期間に渡って通過口装置２０ａ，２０ｂとしての機能を維持することができる。
　
　図１は、【００１６】に記載されているように、玉通過穴４１の寸法Ｌ１が被覆部３５の寸法Ｌ２より大きいことを示すものであるところ、係止爪２５ａの幅、すなわち係止片２５の幅は被覆部３５の寸法Ｌ２より小さく描かれており、通過玉検出器４０ａの幅が玉通過穴４１の寸法Ｌ１より大きいのは当然であるから、図１には係止片２５の幅が通過玉検出器４０ａの幅より狭いことが示されているといえる。
　また、図１、２及び段落【００１０】の記載等から見て、引用文献には、通過玉検出器４０ａの固定構造が記載されているといえる。
　
　摘記した上記の記載や図面等によれば、引用文献には以下の発明（以下「引用発明」という）が記載されている。
「　パチンコ遊技機の遊技盤１の表面に取付基板２１が取り付けられ、該取付基板２１の中央に開設された長方形状の貫通開口２２の両側面に沿って取付基板２１を前後に貫通するように装着枠２３が形成され、該装着枠２３は、上面、底面前方部、及び後部側面が開放して形成されており、
　前記装着枠２３の前面壁上部に押え突起２４が突設され、底面後方に係止爪２５ａを有する係止片２５が形成され、
　前記押え突起２４及び前記係止爪２５ａは、通過玉検出器４０ａを着脱自在に且つ所定の位置に固定するものであり、前記通過玉検出器４０ａを前記装着枠２３の間に挿入し、前記通過玉検出器４０ａの後端下部と前記係止爪２５ａと係合することにより、前記通過玉検出器４０ａを装着することができ、
　前記係止片２５の幅は前記通過玉検出器４０ａの幅より狭い通過玉検出器４０ａの固定構造。」
　
（２）引用発明と本願補正発明との対比
　そこで、本願補正発明と引用発明とを比較すると、引用発明の「パチンコ遊技機」は、本願補正発明の「遊技機」に相当し、以下同様に、
「開設」は、「穿設」に、
「通過玉検出器４０ａ」は「電子部品」に、
「固定構造」は「取付構造」に、それぞれ相当する。
　さらに、引用文献の記載等からみて、以下のことがいえる。
　
ａ．引用発明の「取付基板２１」は、パチンコ遊技機の遊技盤１の表面に取り付けられるものであるから、本願補正発明の「遊技機の固定対象物」に相当するものといえる。
　また、引用発明は取付基板２１の中央に開設された長方形状の貫通開口２２の両側面に沿って取付基板２１を前後に貫通するように形成された装着枠２３の間に通過玉検出器４０ａを挿入して固定しているから、上記貫通開口２２が、通過玉検出器４０ａを挿入固定するために、当該通過玉検出器４０ａの外形に対応する形状となっていることは明らかである。
　よって、引用発明の「取付基板２１の中央に開設された長方形状の貫通開口２２」は、本願補正発明の「電子部品を挿入固定するために、当該電子部品の外形に対応する様に当該固定対象物に穿設された取付穴」に相当する。
　
ｂ．引用発明は通過玉検出器４０ａを装着枠２３の後部側から挿入するから、装着枠２３の底面後方は通過玉検出器４０ａを挿入する側である。
　そして、装着枠２３は貫通開口２２の両側面に沿って取付基板２１を前後に貫通するように形成され、装着枠２３の底面前方部は開放しているから、底面後方に係止爪２５ａを有する係止片２５は、取付基板２１の通過玉検出器４０ａを挿入する側に立設された状態になっているといえる。
　また、係止片２５が通過玉検出器４０ａの貫通開口２２から露出している部分を支持するものであること、及び係止片２５の上面が通過玉検出器４０ａを載置する面となっていることも明らかである。
　よって、引用発明の「係止片２５」と、本願補正発明の「支持板」は、“前記電子部品の前記取付穴から露出している部分を支持するために、前記固定対象物の前記電子部品を挿入する側に立設され、載置面を有する”点で共通している。
　
ｃ．引用発明の「係止爪２５ａ」が、装着枠２３の間、すなわち貫通開口２２に挿入されている通過玉検出器４０ａが脱落しない様に、通過玉検出器４０ａの後端下部と係合、すなわち掛止するためものであることは明らかである。
　また、該係止爪２５ａのある「係止片２５の底面後方」は、本願補正発明の「支持板の遊端側」に相当するとともに、引用発明の「通過玉検出器４０ａの後端下部」は、本願補正発明の「当該電子部品の当該取付穴から露出している部分の端部」に相当することが明らかである。
　よって、引用発明の「係止爪２５ａ」は、本願補正発明の「前記取付穴に挿入されている前記電子部品が当該取付穴から脱落しない様に、前記支持板の遊端側に、当該電子部品の当該取付穴から露出している部分の端部を掛止するための掛止突起」に相当する。
　
ｄ．引用発明においても「係止片２５」は、その幅が前記通過玉検出器４０ａの幅より狭いから、通過玉検出器４０ａを載置する面（載置面）を上にして後方（遊端側）から見たときに、通過玉検出器４０ａの左右両側に係止片２５に支持されない部分ができるのは当然である。
　
　以上を総合すると、両者は、
「　遊技機の固定対象物に電子部品を挿入固定するために、当該電子部品の外形に対応する様に当該固定対象物に穿設された取付穴と、
　前記電子部品の前記取付穴から露出している部分を支持するために、前記固定対象物の前記電子部品を挿入する側に立設され、載置面を有する支持板と、
　によって構成され、
　前記取付穴に挿入されている前記電子部品が当該取付穴から脱落しない様に、前記支持板の遊端側に、当該電子部品の当該取付穴から露出している部分の端部を掛止するための掛止突起が形成されてなる電子部品の取付構造において、
　前記支持板の載置面を上にして遊端側から見たときに、前記電子部品の左右両側に前記支持板に支持されない部分ができるように、前記支持板の幅は前記電子部品の幅より狭いことを特徴とする電子部品の取付構造。」
の点で一致し、以下の点で相違している。
　
［相違点１］本願補正発明の「支持板」は「前記固定対象物の前記電子部品を挿入する側の壁面に立設され、前記取付穴の内壁面に沿った載置面を有する」のに対し、引用発明の「係止片２５」は、取付基板２１の壁面に立設されていない点、及びその上面が貫通開口２２の底面に沿ったものか明らかでない点。
　
［相違点２］本願補正発明の「掛止突起」は、「当該掛止突起の前記取付穴側の端部から当該掛止突起の最厚部まで徐々に肉厚となる様に構成され」ているのに対し、引用発明の「係止爪２５ａ」は、どのように構成されているか明らかでない点。
　
（３）相違点の検討
［相違点１について］
　引用発明においては、通過玉検出器４０ａが装着される部分を、取付基板２１とこの取付基板２１を前後に貫通するように形成された装着枠２３によって構成しているため、装着枠２３に形成されている係止片２５が、取付基板２１の壁面に立設されたものとなっておらず、係止片２５の上面が貫通開口２２の底面に沿ったものか明らかではないが、パチンコ遊技機において、電子部品を一体的に形成された装着部に挿入することは、例えば、特開平３−４１９７９号公報（拒絶理由の引用文献２、特に、第６頁右下欄第１８行〜第７頁左上欄第１１行及び第７Ａ、Ｂ図）、特開平４−２２７２８９号公報（特に、段落【００２３】及び図４）及び特開平６−９８９７４号公報（特に、段落【００１１】及び図１）に記載されるように従来周知の技術（以下「周知技術１」という。）であるから、引用発明において、取付基板２１と装着枠２３を一体的に形成されたものとすることは格別困難なことではなく、そのような構成とする際に係止片２５を取付基板２１の壁面に立設するとともに係止片２５の上面が貫通開口２２の底面に沿ったものとすることは、パチンコ遊技機の分野における通常の知識を有する者（以下「当業者」という。）がごく普通に採用する事項である。
　
［相違点２について］
　挿入固定した被掛止体を容易に取り外すことができるように、掛止突起の形状を被掛止体が外れる方向に徐々に肉厚とすることは、例えば、実願昭５６−１２９１２９号（実開昭５８−３４３０９号）のマイクロフィルム（特に、第６頁第１１行〜第７頁第２行及び第６、７図）、実公昭３９−３５７００号公報（特に、第２頁右欄第１７〜２９行及び第２、３図）及び実公昭５１−７６４５号公報（特に、第２図）に示すように従来周知の技術（以下「周知技術２」という。）である。
　したがって、引用発明に周知技術２を適用し、通過玉検出器４０ａを容易に取り外すことができるように、係止爪２５ａの形状を、貫通開口２２側の端部から徐々に肉厚とし、相違点２に係る本願補正発明のような構成とすることは、当業者が容易に想到し得る。
　
（４）まとめ
　以上のように相違点１及び２は、いずれも当業者が容易に想到し得るものであり、本願補正発明の作用効果も、引用発明及び周知技術１、２に基づいて当業者が予測できる範囲のものである。
　よって、本願補正発明は、引用発明及び周知技術１、２に基づいて、当業者が容易に発明をすることができたものであるから、特許法第２９条第２項の規定により特許出願の際独立して特許を受けることができないものである。
　
４．むすび
　したがって、本件補正は、改正前特許法第１７条の２第５項において準用する同法第１２６条第５項の規定に違反するので、同法第１５９条第１項において読み替えて準用する同法第５３条第１項の規定により却下されるべきものである。
　
第三．本願発明について
１．本願発明
　平成２２年５月３１日付けの手続補正は上記のとおり却下されたので、本願の請求項１に係る発明（以下、同項記載の発明を「本願発明」という。）は、平成２１年１１月９日付け手続補正書の特許請求の範囲の請求項１に記載された事項により特定される、以下のとおりのものである。
「　遊技機の固定対象物に電子部品を挿入固定するために、当該電子部品の外形に対応する様に当該固定対象物に穿設された取付穴と、
　前記電子部品の前記取付穴から露出している部分を支持するために、前記固定対象物の前記電子部品を挿入する側の壁面に立設され、前記取付穴の内壁面に沿った載置面を有する支持板と、
　によって構成され、
　前記取付穴に挿入されている前記電子部品が当該取付穴から脱落しない様に、前記支持板の遊端側に、当該電子部品の当該取付穴から露出している部分の端部を掛止するための掛止突起が形成されてなる電子部品の取付構造において、
　前記掛止突起は、当該掛止突起の前記取付穴側の端部から当該掛止突起の最厚部まで徐々に肉厚となる様に構成され、
　前記支持板の載置面を上にして遊端側から見たときに、前記支持板の幅は前記電子部品の幅より狭いことを特徴とする電子部品の取付構造。」
　
２．特許法第２９条第２項の検討
（１）引用文献記載事項
　原査定の拒絶の理由に引用された引用文献及びその記載事項は、前記「第二．３．（１）」に記載したとおりである。
　
（２）引用発明と本願発明との対比
　本願発明は、前記「第二」で検討した本願補正発明から「支持板」について、その限定事項である「前記電子部品の左右両側に前記支持板に支持されない部分ができるように、」との構成を省いたものといえる。
　そうすると、本願発明の構成要件を全て含み、さらに他の構成要件を付加したものに相当する本願補正発明が、前記「第二．３．（３）」に記載したとおり、引用発明及び周知技術１、２に基づいて、当業者が容易に発明をすることができたものであるから、本願発明も、同様の理由により、引用発明及び周知技術１、２に基づいて、当業者が容易に発明をすることができたものである。
　
（３）まとめ
　以上のとおり、本願発明は、引用発明及び周知技術１、２に基づいて、当業者が容易に発明をすることができたものであるから、特許法第２９条第２項の規定により特許を受けることができない。
　
第四．むすび
　本願発明は、特許法第２９条第２項の規定により特許を受けることができないから、本願の他の請求項（請求項２〜７）について検討するまでもなく、本願は拒絶すべきものである。
　よって、結論のとおり審決する。